(57)【要約】【課題】画像情報の複写を禁止するために使用する特定画像情報を画像データに付加するに際し、付加したい場面だけにその特定画像情報を付加して画像を出力することが可能な画像処理装置を提供する。【解決手段】様々な画像入力手段から入力された画像データに対して、特定の画像であることを意味する特定画像情報を、１又は複数組み付加する特定画像情報付加手段２０ｂを備える。印字部１３ｂ等の様々な画像記録手段が、特定画像情報付加手段２０ｂで特定画像情報付加後の画像データを記録用紙等の記録媒体に記録する。ここで、特定画像情報付加手段２０ｂは、画像入力手段における入力源及び／又は画像記録手段における記録先に応じて、付加処理後の状態を異ならしめる。【選択図】図１
2007181095.tif 000002
【特許請求の範囲】
【請求項１】
画像データを入力する画像入力手段と、該画像入力手段から入力された画像データに対して画像処理を施す際に、特定の画像であることを意味する特定画像情報を１又は複数組み付加する特定画像情報付加手段と、該特定画像情報付加手段で前記特定画像情報が付加された後の画像データを記録媒体に記録する画像記録手段とを備え、前記特定画像情報付加手段は、前記画像入力手段における入力源及び／又は前記画像記録手段における記録先に応じて、付加処理後の状態を異ならしめることを特徴とする画像処理装置。
【請求項２】
請求項１に記載の画像処理装置において、前記特定画像情報付加手段は、前記付加処理後の状態を、前記特定画像情報を付加するか否かによって異ならしめることを特徴とする画像処理装置。
【請求項３】
請求項１又は２に記載の画像処理装置において、前記特定画像情報付加手段は、前記付加処理後の状態として、前記特定画像情報の色、数、位置のいずれか１又は複数を異ならしめることを特徴とする画像処理装置。
【請求項４】
請求項１乃至３のいずれか１項に記載の画像処理装置において、前記特定画像情報付加手段は、前記付加処理後の状態として、前記特定画像情報の種類を異ならしめることを特徴とする画像処理装置。
【請求項５】
請求項１乃至４のいずれか１項に記載の画像処理装置において、前記付加処理後の状態は、前記画像入力手段で入力された画像データの重要度に基づき決定したものであることを特徴とする画像処理装置。
【請求項６】
請求項１乃至５のいずれか１項に記載の画像処理装置において、前記画像記録手段は、自身で記録を実行できない場合に、当該画像処理装置に接続された他の画像処理装置に前記記録の代行を依頼する代行処理手段を有し、該代行処理手段は、前記入力源に基づいて、前記他の画像処理装置を複数の中から選択することを特徴とする画像処理装置。
【請求項７】
請求項１乃至５のいずれか１項に記載の画像処理装置において、前記画像記録手段は、自身で記録を実行できない場合に、当該画像処理装置に接続された他の画像処理装置に前記記録の代行を依頼する代行処理手段を有し、前記特定画像情報付加手段は、前記代行処理手段で代行を依頼する記録先に拘わらず、前記特定画像情報の付加を実行することを特徴とする画像処理装置。
【請求項８】
請求項１乃至７のいずれか１項に記載の画像処理装置において、前記画像入力手段で入力された１つの画像データに対して、前記画像記録手段における記録先が複数に設定されている場合、前記特定画像情報付加手段は、前記付加処理後の状態を前記複数の記録先で共通の状態とすることを特徴とする画像処理装置。
【請求項９】
請求項１乃至８のいずれか１項に記載の画像処理装置において、前記画像記録手段は前記画像入力手段で入力された画像データを記憶媒体に記憶する画像記憶手段を有し、前記特定画像情報付加手段は、前記画像記憶手段で記憶される画像データに対して前記特定画像情報を付加するに際し、前記画像記憶手段において前記画像データと前記特定画像情報とを一組の情報として記憶させるように付加することを特徴とする画像処理装置。
【請求項１０】
請求項１乃至９のいずれか１項に記載の画像処理装置において、前記入力源及び／又は記録先毎に、前記付加処理後の状態を設定する特定画像情報設定手段を備え、前記特定画像情報付加手段は、前記特定画像情報設定手段での設定に基づき、前記特定画像情報の付加を実行することを特徴とする画像処理装置。
【請求項１１】
画像データを入力する画像入力手段と、画像データに対して画像処理を施す画像処理手段と、画像データを記録媒体に記録する画像記録手段とを備えた画像処理装置における画像処理方法であって、前記画像入力手段が画像データを入力する画像入力ステップと、前記画像入力ステップで入力された画像データに対して、前記画像処理手段が、前記画像処理を施すに際し、特定の画像であることを意味する特定画像情報を１又は複数組み付加する特定画像情報付加ステップと、該特定画像情報付加ステップで前記特定画像情報が付加された後の画像データを、前記画像記録手段が記録媒体に記録する画像記録ステップとを含み、前記特定画像情報付加ステップは、前記画像入力手段における入力源及び／又は前記画像記録手段における記録先に応じて、付加処理後の状態を異ならしめることを特徴とする画像処理方法。
【請求項１２】
請求項１乃至１０のいずれか１項に記載の画像処理装置に組み込み、該画像処理装置における演算処理装置を、前記特定画像情報付加手段として、或いは該特定画像情報付加手段及び前記特定画像情報設定手段として、機能させるためのプログラム。
【発明の詳細な説明】
【技術分野】
【０００１】
本発明は、画像処理装置、画像処理方法、及びプログラムに関し、より詳細には、画像データに対してその複写を禁止するための特定画像情報を付加可能とした画像処理装置、画像処理方法、その装置に組み込まれる特定画像付加用のプログラムに関する。
【背景技術】
【０００２】
印刷原稿の不正な複写を防止するために、原稿を印刷する際に地紋などの特定画像情報を付与する手法が用いられている。この特定画像情報は、複写防止情報、或いはアンチコピー情報などとも呼ばれる。
【０００３】
例えば、ＰＣ等で動くアプリケーションからプリンタに画像データを送り、プリンタにて画像データを印刷出力するときに、印刷画像の複写を防止するための特定画像情報を上述の画像データとともにプリンタに送ることにより、プリンタでは、印刷画像のどこかにその特定画像情報を埋め込んで印刷出力させるようにする。そして、その特定画像情報が埋め込まれた印刷画像を、複写機を用いて複写しようとすると、その特定画像情報を検出した複写機が、複写印刷を出力しないようにしたり、或いは、“コピー禁止”等の文字を印刷して出力する、等の動作を行うようにする。
【０００４】
上述のような特定画像情報は、ユーザが識別できない形状で印刷画像に埋め込まれている場合の他に、複写を牽制するために、特定画像情報であることをユーザが識別できる形状で印刷画像に埋め込まれている場合がある。しかしながら、いずれにしても、複写機がこれら特定画像情報が埋め込まれた画像情報を複写するときに、複写機は画像情報に特定画像情報が存在していることを検出し、その検出結果に従って、予め定められた処理、例えば、上述のように複写自体を停止したり、“コピー禁止”等の文字を入れて複写画像を出力する処理を行う。
【０００５】
上述のような複写を禁止するための技術に関し、例えば特許文献１には、特定のパターンを付加した原稿を簡単に作成できるようにした複写機が開示されている。ここでは複写機は、原稿画像に特定マークを付加して画像を再生するための特定マークの発生手段と、読み取った原稿画像における特定のマークの有無を検出するマーク有無検出手段と、そのマーク有無検出手段で原稿画像における特定のマークを検出した場合に、複写動作を通常とは異ならせるようにする制御手段を備えている。
【０００６】
また、特許文献２には、特定マークの検出を容易に且つ精度よく行うことができる再生画像を得るようにした複写機が開示されている。ここでは、マーク付加手段により特定のマークを付加した画像を再生する機能を有する複写機において、マーク付加手段が径の異なる複数の同心円により構成された特定のマークを原稿画像に付加するようにしている。
【０００７】
特許文献１及び２に記載の技術を含め、特定画像情報を付加する方法としては、電子透かしのように周波数領域に情報を紛れ込ませる方法、バーコードなどを非画像エリアに付加する方法、ウォーターマークのような情報を画像エリアに付加する方法などがある。
【特許文献１】特開平７−３８７３７号公報
【特許文献２】特開平７−３６３２５号公報
【発明の開示】
【発明が解決しようとする課題】
【０００８】
しかしながら、このような従来技術のシステムでは、印刷画像を読み込んで特定画像情報が含まれているかを検出する際に、印刷画像の特徴によっては誤認識が多くなる。例えば、或る原稿に特定画像情報が印刷されていないにも拘わらず、その原稿を複写した際にその原稿の特徴が特定画像情報の特徴と合致してしまい印刷動作をストップすることがある。また、その原稿の特徴が特定画像情報の特徴と合致していなくても何度も繰り返し複写することで擦れたり所謂ゴミや異物といったものが印刷され、それが特定画像情報の特徴と合致してしまい、その原稿に特定画像情報が印刷されていないにも拘わらず、印刷動作をストップしてしまうこともある。このように、ユーザの使用形態によって特定画像情報の検出精度が異なり、場合によっては検出できなくなることがある。
【０００９】
特に、特定画像情報を付加することは印刷やコピー毎にユーザが付加／非付加の設定を行ったり、付加する特定画像情報もユーザが異ならしめて設定することが考えられる。設定を行わなければならない場面として、例えば、原稿をコピーする場合、外部ＰＣから印刷を行う場合、ＦＡＸ受信で印刷を行う場合、装置内部に記憶された画像データを印刷する場合など、様々な場面が想定できるが、複合機の印刷の形式により、ユーザが設定するのは煩雑となる。従って、その他の方法として、全ての場面で特定画像情報を付加するようにしておく方法も採用されている。
【００１０】
そして、無駄な場面で特定画像情報を印刷すると無駄なトナーやインクを消費してしまうこととなり、また個別に設定していると付加することを忘れてしまうこととなる。一方で、勝手な場面わけを行って、それに基づいて特定画像情報の付加／非付加等を決めるようにすると、必要な場面で付加されなかったり、不要な場面で付加されトナーやインクの無駄となってしまう。
【００１１】
本発明は、上述のごとき実情に鑑みてなされたもので、画像情報の複写を禁止するために使用する特定画像情報を画像データに付加するに際し、付加したい場面だけにその特定画像情報を付加して画像を出力することが可能な画像処理装置、画像処理方法、及び、その装置に組み込むためのプログラムを提供することをその目的とする。
【課題を解決するための手段】
【００１２】
上述の課題を解決するために、本発明の第１の技術手段は、画像データを入力する画像入力手段と、該画像入力手段から入力された画像データに対して画像処理を施す際に、特定の画像であることを意味する特定画像情報を１又は複数組み付加する特定画像情報付加手段と、該特定画像情報付加手段で前記特定画像情報が付加された後の画像データを記録媒体に記録する画像記録手段とを備え、前記特定画像情報付加手段は、前記画像入力手段における入力源及び／又は前記画像記録手段における記録先に応じて、付加処理後の状態を異ならしめることを特徴としたものである。
【００１３】
第２の技術手段は、第１の技術手段において、前記特定画像情報付加手段は、前記付加処理後の状態を、前記特定画像情報を付加するか否かによって異ならしめることを特徴としたものである。
【００１４】
第３の技術手段は、第１又は第２の技術手段において、前記特定画像情報付加手段は、前記付加処理後の状態として、前記特定画像情報の色、数、位置のいずれか１又は複数を異ならしめることを特徴としたものである。
【００１５】
第４の技術手段は、第１乃至第３のいずれかの技術手段において、前記特定画像情報付加手段は、前記付加処理後の状態として、前記特定画像情報の種類を異ならしめることを特徴としたものである。
【００１６】
第５の技術手段は、第１乃至第４のいずれかの技術手段において、前記付加処理後の状態は、前記画像入力手段で入力された画像データの重要度に基づき決定したものであることを特徴としたものである。
【００１７】
第６の技術手段は、第１乃至第５のいずれかの技術手段において、前記画像記録手段は、自身で記録を実行できない場合に、当該画像処理装置に接続された他の画像処理装置に前記記録の代行を依頼する代行処理手段を有し、該代行処理手段は、前記入力源に基づいて、前記他の画像処理装置を複数の中から選択することを特徴としたものである。
【００１８】
第７の技術手段は、第１乃至第５のいずれかの技術手段において、前記画像記録手段は、自身で記録を実行できない場合に、当該画像処理装置に接続された他の画像処理装置に前記記録の代行を依頼する代行処理手段を有し、前記特定画像情報付加手段は、前記代行処理手段で代行を依頼する記録先に拘わらず、前記特定画像情報の付加を実行することを特徴としたものである。
【００１９】
第８の技術手段は、第１乃至第７のいずれかの技術手段において、前記画像入力手段で入力された１つの画像データに対して、前記画像記録手段における記録先が複数に設定されている場合、前記特定画像情報付加手段は、前記付加処理後の状態を前記複数の記録先で共通の状態とすることを特徴としたものである。
【００２０】
第９の技術手段は、第１乃至第８のいずれかの技術手段において、前記画像記録手段は前記画像入力手段で入力された画像データを記憶媒体に記憶する画像記憶手段を有し、前記特定画像情報付加手段は、前記画像記憶手段で記憶される画像データに対して前記特定画像情報を付加するに際し、前記画像記憶手段において前記画像データと前記特定画像情報とを一組の情報として記憶させるように付加することを特徴としたものである。
【００２１】
第１０の技術手段は、第１乃至第９のいずれかの技術手段において、前記入力源及び／又は記録先毎に、前記付加処理後の状態を設定する特定画像情報設定手段を備え、前記特定画像情報付加手段は、前記特定画像情報設定手段での設定に基づき、前記特定画像情報の付加を実行することを特徴としたものである。
【００２２】
第１１の技術手段は、画像データを入力する画像入力手段と、画像データに対して画像処理を施す画像処理手段と、画像データを記録媒体に記録する画像記録手段とを備えた画像処理装置における画像処理方法であって、前記画像入力手段が画像データを入力する画像入力ステップと、前記画像入力ステップで入力された画像データに対して、前記画像処理手段が、前記画像処理を施すに際し、特定の画像であることを意味する特定画像情報を１又は複数組み付加する特定画像情報付加ステップと、該特定画像情報付加ステップで前記特定画像情報が付加された後の画像データを、前記画像記録手段が記録媒体に記録する画像記録ステップとを含み、前記特定画像情報付加ステップは、前記画像入力手段における入力源及び／又は前記画像記録手段における記録先に応じて、付加処理後の状態を異ならしめることを特徴としたものである。
【００２３】
第１２の技術手段は、第１乃至第１０のいずれかの技術手段における画像処理装置に組み込み、該画像処理装置における演算処理装置を、前記特定画像情報付加手段として、或いは該特定画像情報付加手段及び前記特定画像情報設定手段として、機能させるためのプログラムである。
【発明の効果】
【００２４】
本発明によれば、画像情報の複写を禁止するために使用する特定画像情報を画像データに付加するに際し、付加したい場面だけにその特定画像情報を付加して画像を出力することが可能となる。
【発明を実施するための最良の形態】
【００２５】
図１は、本発明の画像処理装置が適用されるデジタル複合機の構成例を説明するためのブロック図である。図１で例示するデジタル複合機１は、複写機、プリンタ装置、ファクシミリ装置、スキャナ装置、及び画像記憶装置の機能を備えた複合機として構成されたものである。
【００２６】
デジタル複合機１は、演算を行うＣＰＵ及び演算に伴う一時的な情報を記憶するＲＡＭ等からなる機器制御部１４を備えている。機器制御部１４には、デジタル複合機１を制御するための制御プログラムを記憶しているＲＯＭが含まれる。また、機器制御部１４には、デジタル複合機１が行う処理を管理するための管理情報（各種の制御情報）を記憶するメモリである管理部１７が接続されている。
【００２７】
機器制御部１４には、ユーザ操作手段の一例として、使用者からの操作を受け付け入力する操作部１２が接続されている。操作部１２は、使用者の操作により制御命令などの情報が入力されるタッチパネル又はテンキー等の入力部１２ａと、操作のために必要な情報を表示する液晶パネル等の表示部１２ｂとからなっている。その他、操作部１２では、このデジタル複合機１の管理者や利用者（すなわち操作者）を認証するための認証コードが入力される。また、認証コードは、ＦＡＸモデム１８や通信部１５を介して外部機器から入力することを可能としてもよい。
【００２８】
また、機器制御部１４には、画像入力手段の一つとして、画像データを生成するために記録用紙に記録された画像を読み取る画像読取部１１が接続される。この画像読取部１１には、原稿画像を画像データとして取り込むためのＣＣＤ１１ａと、原稿の有無を検知する原稿検知センサ１１ｂとが設けられる。
【００２９】
また、機器制御部１４には、画像記録手段の一つとして、記録用紙上に画像データを形成する画像形成部１３が接続される。この画像形成部１３には、画像データを一時的に記憶するメモリ１３ａと、メモリ１３ａが記憶した画像データから画像を形成して記録用紙に記録する印字部（ＬＳＵ）１３ｂと、印字部１３ｂで画像形成するための給紙用のトレイ１３ｃ，１３ｄとが設けられる。そして、デジタル複合機１は、画像読取部１１が生成した画像データをメモリ１３ａに一旦記憶させた後、印字部１３ｂで画像を形成することができる。このようにして、デジタル複合機１は複写機として機能する。
【００３０】
また、図１で例示する機器制御部１４には、画像入力手段の一つとして、ファクシミリ通信を行うＦＡＸモデム１８が接続されており、ＦＡＸモデム１８は公衆回線網Ｎ３に接続されている。デジタル複合機１は、公衆回線網Ｎ３を介して他のファクシミリ装置４から送信された画像データをＦＡＸモデム１８で受信し、受信した画像データから画像形成部１３で画像を形成することができる。また、デジタル複合機１は、画像読取部１１が生成した画像データを、ＦＡＸモデム１８に接続された公衆回線網Ｎ３を介して他のファクシミリ装置４へファクシミリ通信にて送信することができる。このとき、ＦＡＸモデムは、外部のファクシミリ装置４へ画像データを記録する画像記録手段の一つとして機能する。このようにして、デジタル複合機１はファクシミリ装置として機能する。
【００３１】
また、機器制御部１４には、デジタル複合機１が外部と情報を送受信するための通信部（送受信手段）１５が接続されている。通信部１５は、社内ＬＡＮ等の通信ネットワークＮ１に接続可能であり、通信ネットワークＮ１には１又は複数のパーソナルコンピュータ（ＰＣ）５が接続可能である。デジタル複合機１が単独で動作している通常の状態では、通信部１５は通信ネットワークＮ１に接続されており、通信ネットワークＮ１を介してＰＣ５との間で情報を交換する。
【００３２】
デジタル複合機１は、画像読取部１１が生成した画像データを通信部１５からＰＣ５へ送信することができる。このようにして、デジタル複合機１はスキャナ装置として機能する。また、デジタル複合機１は、ＰＣ５から送信された画像データを通信部１５で受信し、受信した画像データから画像形成部１３で画像を形成することができる。このようにして、デジタル複合機１はプリンタ装置として機能する。
【００３３】
通信ネットワークＮ１は、更にインターネット等の広域通信ネットワークＮ２に接続されている。通信部１５は、電子メールに画像データを添付して送信するなどの方法により、広域通信ネットワークＮ２に接続されたインターネットファクシミリ装置２や外部ＰＣ３との間で、通信ネットワークＮ１及び広域通信ネットワークＮ２を介して画像データを受信することができる。このようにして、デジタル複合機１はインターネットファクシミリ装置として機能する。
【００３４】
このように、通信部１５は、デジタル複合機１内部へ外部から画像データを受信するときには画像入力手段の一つとして機能し、また、デジタル複合機１側から外部へ画像データを送信するときには画像記録手段の一つとして機能する。
【００３５】
機器制御部１４には、ハードディスク（ＨＤ）１６が接続されている。ハードディスク１６は、画像読取部１１が生成した画像データ等の画像処理に係る画像データを記憶する。デジタル複合機１は、様々な経路から入力された画像データに対して、画像形成部１３で画像形成するのではなく、ハードディスク（ＨＤ）１６に記憶させることで、画像記憶装置として機能する。また、機器制御部１４には消去手段１９が接続される。消去手段１９は、機器制御部１４による制御に従って、ハードディスク１６に記録保持されているデータを消去する。
【００３６】
さらに、機器制御部１４には、本発明に関わる特定画像情報を付加する処理を実現する画像処理部２０が接続される。画像処理部２０は、上述のごとき様々な画像入力手段から入力された画像データに対して、その画像データが示す画像を変更させる変更処理を施す画像変更手段（図示せず）を備えるとよい。なお、画像変更手段としては、画像変倍手段以外に、画像入力手段から入力された画像データに対して、その画像データが示す画像の濃度を変更する手段や画像の向きを回転させる手段などが例示できる。
【００３７】
ここで、画像変更手段は、画像入力手段から入力された画像データに対して、その画像データが示す画像を変倍させる変倍処理を施す画像変倍手段を有することが好ましい。この画像変倍手段は、操作部１２で入力されたユーザ操作が、倍率指定変倍設定、用紙指定変倍設定、綴じ代設定（表紙設定等による間接的な設定も含む）、所謂ｎ  ｉｎ  １と呼ばれる集約設定、及び分割設定の何れかであった場合、各設定に基づく変倍処理を実行する手段である。画像変倍手段は、通常のコピー機などには一般的に具備されている手段であるが、ここではＨＤ１６や外部機器への記憶や送信等の際にも実行可能としておくとよい。
【００３８】
そして、画像処理部２０は、本発明に関わる特定画像情報を付加する処理を実現するための手段として、特定画像情報付加手段２０ｂを備えるものとする。特定画像情報付加手段２０ｂは、様々な画像入力手段で入力された画像データに対して、特定の画像であることを意味する特定画像情報を、１又は複数組み付加する手段である。上述の画像変更手段での画像変更処理がなされた後に、特定画像情報付加手段２０ｂが特定画像情報を付加するようにすることで、変倍や回転等の処理に依らず一定の特定画像情報を付加することができ、検出する際にも容易となる。
【００３９】
なお、画像変倍手段が１倍処理に相当する処理無しである場合も含むように、画像変更手段は画像を変更しない場合もあり、その場合には画像変更手段を介さない処理となるよう構成してもよいし、一旦画像変更手段を介すように構成してもよい。上述した様々な画像記録手段は、特定画像情報付加手段２０ｂで特定画像情報が付加された後の画像データを記録媒体に記録する。
【００４０】
詳細には、特定画像情報付加手段２０ｂは、画像データに付加すべき特定画像情報を予め保持しておき（若しくは他のアクセス可能なメモリに保持させておき）、機器制御部１４による特定画像情報の付加に関する制御に従って特定画像情報を画像データに付加し、メモリ１３ａに保持させる。例えば画像記録手段として画像形成手段を使用する場合、画像処理部２０で処理された画像データは、印字部１３ｂで最終的に出力される形態の印刷データとなる。画像変倍処理などの画像変更処理を実行する場合、例えば、画像入力手段で入力された画像データをＨＤ１６に保存し、その画像データをメモリ１３ａのワークメモリ上で画像変更処理を施して、メモリ１３ａのページメモリ上へ移し、ページメモリ上で特定画像情報と合成して、印字部１３ｂで印刷する。
【００４１】
このように、原稿の画像データにコピー禁止などの特定画像情報を付加する場合には、画像処理部２０で画像の変倍、回転などの処理が行われた画像データに、特定画像情報付加手段２０ｂ（特定画像発生手段とも言える）で生成された特定画像を付加して、印刷等の画像記録処理を施すとよい。その他、レーザプリンタ内のレーザ走査回路に特定画像情報を与え、原稿の画像データに対するレーザの走査時に、特定画像を付加することも可能であり、その場合、特定画像情報付加手段２０ｂはレーザ走査回路に特定画像情報を伝送する手段となる。
【００４２】
そして、本発明の主たる特徴部分として、特定画像情報付加手段２０ｂは、画像入力手段における入力源及び／又は画像記録手段における記録先に応じて、付加処理後の状態を異ならしめるものとする。このように付加処理後の状態を異ならしめるために、特定画像情報付加手段２０ｂには、入力源及び／又は記録先に応じて、付加処理後の状態を決定する決定手段を設けておくとよい。ここで決定された付加処理後の状態になるように、特定画像情報付加手段２０ｂが特定画像情報を付加することとなる。また、付加処理後の状態は、画像入力手段で入力された画像データの重要度に基づき決定したものとすることが好ましい。
【００４３】
また、本発明では画像入力手段及び／又は画像記録手段が例示したように複数の手段を備えておく必要がある。そして、処理時に使用される特定の入力源及び特定の記録先が、デジタル複合機１のもつ機能のうち使用されている機能を表すこととなる。従って、本発明は、装置のもつ機能（プリンタ、コピー、ＦＡＸ、画像データ保存等）のうち現在使用している機能に応じて特定パターンを異ならせるものとする。
【００４４】
また、特定画像情報付加手段２０ｂは、付加処理後の状態を、特定画像情報を付加するか否かによって異ならしめるようにしてもよい。また、特定画像情報付加手段２０ｂは、付加処理後の状態として、特定画像情報の色、数、位置のいずれか１又は複数を異ならしめるようにしてもよい。さらに、特定画像情報付加手段２０ｂは、付加処理後の状態として、特定画像情報の種類を異ならしめるようにしてもよい。
【００４５】
なお、特定画像情報は、上述のように複写を禁止する（或いは複写禁止であることをユーザに認知させて牽制を行う）ために使用されるものであり、例えばカラー複合機であれば黄色の特定画像情報を視認できないように付加するとよい。また、モノクロ複合機であれば（或いはカラー複合機であってもモノクロ出力の場合には）濃度調整した黒（グレー）を視認できないように付加するとよい。
【００４６】
ここで、機能別の重要度の差異について、考え方の一例を説明する。ＦＡＸで送信されてくる画像は白黒であり、受信側のファクシミリの設置場所も把握していないことが多いので、重要文書であれば親展送信などの機密保持の処理を行って送信するのが一般的であり、重要度の低い原稿であることが予測される。プリンタで印刷されるデータには外部に漏洩しては困る機密文書であったり、帳簿など機密データなどを印刷する場合が考えられる。コピーされる文書としては、サイン入り契約書、公文書などの書類があり、機密性が最も高いことが予測される。このような考えから、画像データの入力源に応じて、特定パターンの合成を異ならせるとよい。この例では、ファクシミリ受信文書には特定画像情報を付加せず、プリンタから印刷依頼される文書には特定画像情報を付加し、スキャナから読み込まれてコピーされる文書には特定画像情報を付加するようにするとよい。
【００４７】
本発明では、上述のごとく画像情報の複写を禁止するために使用する特定画像情報を画像データに付加するに際し、付加したい場面だけに確実にその特定画像情報を付加して画像を出力することが可能となる。例えば、コピー抑制情報の付加／非付加、或いはコピー抑制情報の内容（例えば重要度に応じて異ならしめた特定画像情報の内容）を異ならせることで、重要度の低い印刷物へコピー抑制情報を付加してしまうことや、重要度の高い印刷物へのコピー抑制情報の付け忘れを防止することが可能となり、結果として確実なコピー抑制が可能となる。
【００４８】
また、本発明では、特定画像情報付加手段２０ｂに加え、どのような入力源や記録先の場合に、特定画像情報を付加するか、そして付加する場合にはその色、数、位置などを設定する特定画像情報設定手段２０ｃを備えるものとする。すなわち、特定画像情報設定手段２０ｃは、入力源及び／又は記録先毎に付加処理後の状態を、デフォルトによって設定したり操作部１２などからユーザに選択させることで設定する手段であり、例えば図示したように画像処理部２０に備えられる。そして、特定画像情報設定手段２０ｃは、機器制御部１４による設定制御に従って特定画像情報の付加方法を設定しておき、特定画像情報付加手段２０ｂは、画像データに付加すべき予め保持した特定画像情報に対し、特定画像情報設定手段２０ｃで設定された付加方法に基づいて特定画像情報を画像データに付加する。
【００４９】
また、画像記録手段として、上述した他に、代行処理手段を備えるようにしてもよい。この代行処理手段は、デジタル複合機１自身で記録を実行できない場合に、デジタル複合機１に接続された他の画像処理装置に、記録ジョブ（印刷ジョブ等）の一部又は全部に対する記録の代行を依頼する手段である。そして、代行処理手段は、画像データの入力源に基づいて、他の画像処理装置を複数の中から選択するものとする。この形態にあっては、特定画像情報付加手段２０ｂにより特定画像情報の付加を実行する場合であっても、それに対応した他の画像処理装置を選択することができる。また、特定画像情報付加手段２０ｂは、代行処理手段で代行を依頼する記録先に拘わらず、特定画像情報の付加を実行するようにしておいてもよい。この形態にあっては、他の画像処理装置（相手側子機等）の設定内容に拘わらず、すなわち子機が特定パターンの印刷を禁止している設定の場合でも、デジタル複合機１（親機）の印刷条件に従い印刷を行うことが可能となる。
【００５０】
また、１つの画像データを印刷してＨＤ１６に保存するなど、画像入力手段で入力された１つの画像データに対して、画像記録手段における記録先が複数に設定されている場合には、特定画像情報付加手段２０ｂは、付加処理後の状態をそれら複数の記録先で共通の状態とすることが好ましい。
【００５１】
また、画像記録手段として画像記憶手段を使用する場合、特定画像情報付加手段２０ｂは、画像記憶手段で記憶される画像データに対して特定画像情報を付加するに際し、画像記憶手段において画像データと特定画像情報とを一組の情報として記憶させるように付加することが好ましい。例えば、印刷データの保存方法で例示すると、入力された画像データを記憶媒体に記憶する場合で、画像データと共に特定パターンの付与情報が存在する場合には、画像データと特定パターンと好ましくはその付与情報（どこにどのように付加するかの情報）を個別情報（１組の情報）として保存する。これにより、その画像データを後で使用して画像処理を行う場合、階調変化などの処理時に特定パターンに影響を及ぼすことがなくなる。
【００５２】
特定画像情報の設定及び付加処理においては、上述した好ましい形態などを適宜採用して処理を実行すればよい。例えば、特定画像情報としての所定のパターン（特定パターン）画像は、ＹＭＣＫのトナーの色の単色から選択可能で、１枚の出力用紙に付加するパターン色は複数個であり同じ色であるようにしてもよい。また、モノクロコピー（ＦＡＸ，プリンタ）モードで印字した場合は付加するパターンの色を黒にし、カラーモードで印字した場合は、ＹＭＣＫの４色から選択可能であるようにしてもよい。さらに、再生紙でも検出できるよう黄色のパターンを選択した場合は黒のパターンを選択した場合より濃くするかドットを大きくするようにしてもよい。画像データをモノクロ２値で印字する場合は画像データを印字する濃度値より、付加パターンの濃度値を薄くするなどしてもよい。
【００５３】
また、所定のパターン画像は、同じ画像を少なくともＭ＋Ｎ個以上付加するようにしてもよい。実際に検出するときに、そのパターンをＮパターン検出することで付加情報を付加した原稿であることを識別することで、付加したパターンの１部分だけを検出するだけで良くなるので、付加パターンを目立たないパターンにすることが可能となる。また、黒で印字する時の付加印字パターンのプリミティブを大きさを黄色で印字する時より小さくすることで、再生紙に印字した時も検出することができるだけでなく、目立ち難い薄く小さなパターンにすることが可能となる。また、付加するパターン画像の数は、セキュリティ強度によって可変するようにしてもよい。
【００５４】
一方で、画像処理部２０は、画像読取部１１で読み取られてメモリ１３ａに保存された画像データに特定画像情報が含まれるか否かを検出する特定画像情報検出手段２０ａを有することが好ましい。特定画像情報検出手段２０ａの検出結果、画像データに特定画像情報が含まれていれば、機器制御部１４は、その画像データの複写を禁止する（画像形成部１３における画像形成を無効にする）制御を行う。例えば、スキャナで読み取られた画像データなどの入力画像データは画像処理部２０に入力されるが、特定画像情報検出手段２０ａ（特定画像判別手段とも言える）に入力され、コピー禁止情報などの特定画像の判別を行うようにし、特定画像が検出された場合には、特定画像であることを画像形成禁止指示回路に入力され、画像形成禁止指示回路から画像形成の禁止指示を行うとよい。
【００５５】
このように、本発明では画像処理部２０などに画像無効化手段を備えることが好ましい。換言すると、この画像無効化手段は、特定画像情報検出手段２０ａで特定画像情報が存在すると判定されたときには、画像読取部１１で読み取った画像情報を無効にする手段である。また、原稿によっては、文字が込み入ったものやゴミと呼ばれる出力（印刷やＦＡＸ出力等）部分があるので、付加する所定の画像は、上述したように同じパターンをＭ＋Ｎ以上付加するよう特定画像情報設定手段２０ｃで設定して画像形成しておき、特定画像情報検出手段２０ａは、識別する場合に、付加したパターンをＭ個識別した時点で検出するようにしておくことが好ましい。このＭ個という情報は、当然、付加する数のうちのパーセンテージで決定しておいてもよい。
【００５６】
図２は、図１の画像処理装置における本発明に主として係わる構成のみを示すブロック図で、図３は、図２の画像処理装置における判定部の構成例を示すブロック図で、図４は、図１の画像処理装置において付加される特定画像情報の一例を示す図である。図２乃至図４を参照して、本発明に係る特定画像情報の付加や検出について、より具体的に説明する。
【００５７】
デジタル複合機１は、主として、利用者が原稿をセットするなどして印刷等を行うための操作パネル１２と、原稿のデータを入力するスキャナ，ＦＡＸ，プリンタ等の画像入力部１０と、画像入力部１０で入力した画像データを一時的に格納するメモリ１３ａと、同じく画像入力部１０で入力された原稿の画像データに、特定画像が出力されているか（特定画像情報が含まれているか）を判定する特定画像情報検出手段（判定部）２０ａと、メモリ１３ａに格納された画像データに対し、所定の条件（例えばアクセス権や処理経路の条件）に基づき特定画像情報を付加する特定画像情報付加部（特定画像情報付加手段を具備）２０ｂと、１又は複数種類の特定画像情報を格納し特定画像情報付加部２０ｂで付加を実行する際に該当する種類の特定画像情報を特定画像情報付加部２０ｂに供給する特定画像情報管理部１７ａと、特定画像情報管理部１７ａで供給する特定画像情報に対して、供給の有無や色や数や位置などの設定（付加条件）を行い記憶する付加条件管理部１７ｂ（特定画像情報設定手段２０ｃを含む）と、メモリ１３ａに格納された画像データに対し、上述の所定の条件が合った場合に、付加条件管理部１７ｂで管理されその中から選択された色や数や位置に基づき、特定画像情報付加部２０ｂで特定画像情報を付加して（重ね合わせて）出力する出力部（プリンタ１３ｂ等）と、それらを制御する機器制御部１４とで構成される。
【００５８】
このような構成により、画像処理部２０は、入力された画像データを展開処理し、印刷実行データとして画像メモリ１３ａに記憶保持させる。また、画像処理部２０では、特定画像情報設定手段２０ｃにより、特定画像情報を付加するか否か、そして付加する場合の色や数や位置を設定する。そして、画像処理部２０では、付加すると設定されていた入力源や記録先に基づき、設定された特定画像情報を特定画像情報付加手段２０ｂにより画像データに付加して、印刷実行データを生成する。そして、プリンタ１３ｂは、画像メモリ１３ａに記録保持された印刷実行データを使用して、記録紙等に対する画像形成を行う。
【００５９】
ここで付加する特定画像情報としては、図４に例示する特定パターン３０など様々なものが採用できる。図４（Ａ）で例示した特定パターン３０は丸のドット３０ａが５つ等間隔で所定の角度で斜めに配置されてなるパターンであり、図４（Ｂ）で例示した特定パターン３１は四角のドット３１ａが５つ等間隔で縦方向に配置されてなるパターンである。ここで、等間隔でなくてもよく、ドットの数や配置も任意に決めておけばよい。また、特定パターンを複数個配列する場合の配列も任意に決めておけばよい。
【００６０】
判定部２０ａは、主として、画像データを入力する入力部２１と、入力した画像データから特定画像情報を検出する検出部２３と、検出部２３で検出した特定画像情報の数をカウントするカウンタを有しカウント値や座標等を管理する管理部２２と、検出部２３での判定条件（特定画像情報の数等）を設定する判定条件設定部２４と、検出部２３で検出された数が判定条件を満たすか否かを判定して結果情報として機器制御部１４に通知する判定結果通知部２５とで構成される。
【００６１】
図５は、図１の画像処理装置における操作部の一例を示す図で、図６乃至図１１は、図１の画像処理装置における表示部で表示される表示画面例を示す図である。図１の画像処理装置（デジタル複合機１）において、ユーザ操作部１２は例えば図５の操作部４０のようになっており、その表示部１２ｂには表示画面５０が表示される。この表示画面５０は、ＧＵＩ（グラフィカルユーザインターフェース）を用いて表示構成するとよい。操作部４０の表示画面５０を表示するタッチパネル以外の部位として、プリンタ、ファックス／イメージ送信、コピーといった使用する機能を選択するボタン４２や、ジョブ状況を表示画面に表示させるボタン、テンキー４１、スタートキー、キャンセルキー、特定画像情報設定手段２０ｃにおける設定等のユーザ設定を行うユーザ設定ボタン５１などを備える。
【００６２】
図５の操作部４０において、ユーザ設定ボタン５１をユーザが押下すると、図６の表示画面５０のように、各種設定の他に、キーオペレータプログラムへの移行領域５２が表示される。キーオペレータプログラムとは、管理者のみ設定可能なプログラムであり、本発明の特定画像の付加に関する設定のように、一般ユーザに変更されては困る設定を行うプログラムを指す。
【００６３】
図６の表示画面５０でキーオペレータプログラムへの移行領域５２をユーザ（管理者ユーザ）が押下すると、部門管理、省エネルギー設定、操作設定、システム管理設定、コピー設定、ファックス／イメージ送信設定、リスト／レポートプリント、キーオペレータコード変更、プロダクトキー入力などといった各種設定項目の他に、セキュリティ設定の領域５３ａが表示されている。そして、このセキュリティ設定の領域５３ａを管理者ユーザが押下すると、図８の表示画面５０のように、パスワード入力領域５３ｂがポップアップする。この画面にて管理者ユーザがパスワードをテンキー４１等で入力することで、図９の表示画面５０で例示するような、セキュリティ設定画面へ移行する。
【００６４】
図９乃至図１１は、特定画像情報の特徴を設定するための設定画面を示している。図９のセキュリティ設定画面では、プリンタ選択領域５４、コピー選択領域５５、ファックス選択領域５６が表示されており、例えばユーザがプリンタ選択領域５４を押下すると、図１０に示す表示画面へ移行する。
【００６５】
図１０に示す表示画面（ＧＵＩ画面例）５０では、プリンタに対するドキュメントコントロール画面５４として、特定画像情報の特徴の設定条件を設定するための項目が表示されている。ここで、項目としては、出荷先（デジタル複合機１をどの国や地域に出荷するかを示す出荷場所）を選択するプルダウンボックス５４ｂ、角度入力欄５４ｄ、数（特定画像情報を何組付加するかを示す数）入力欄５４ｅ、位置（特定画像情報を原稿のどのような位置に付加するかを示す位置）入力欄５４ｆ、色（特定画像情報をどの色で付加するかを示す色）入力欄５４ｇ、及び次頁へ進むための次頁ボタン５４ｈを設けている。その他、図１０の例では、特定画像情報を付加するか否かを設定するためのチェックボックス５４ａ及びどの特定画像情報（特定パターン）を付加するのかを選択するプルダウンボックス５４ｃも備えている。
【００６６】
チェックボックス５４ａは、特定画像情報を付加するか否かを設定するための設定欄であり、このように、特定画像情報設定手段２０ｃは、特性画像情報付加手段２０ｂで特定画像情報の付加を実行するか否かを判定するための付加条件（入力源及び／又は記録先等）を設定する付加条件設定手段を備えることが好ましい。この付加条件設定手段も図２の付加条件管理部１７ｂなどで実現すればよい。このチェックボックス５４ａのごとき設定欄は、ＰＣ側のプリンタドライバによって対応欄をチェックするとか、機器の操作部１２で操作するとか、手動で行うようにすればよい。
【００６７】
このような付加条件としては、自動的に設定するものであってもよく、入力源及び／又は記録先の他に、例えば、親展処理であるか否か、ユーザ認証によりアクセス権判定を行った結果、特定のアクセス権レベルの利用者の出力物（印刷物等）であるか否か、といった判定に基づき、付加を実行するか否かを決定するようにしてもよい。例えば、部長が印刷する場合には重要な原稿であると自動的に判断して、自動的に付加画像の付加を行うとか、一旦ホールドしてパスワードなどの入力を待って出力する場合、すなわちホールドプリント機能（親展プリント機能）を使用する場合には、他人に見られたくない原稿であると判断して自動的に付加画像の付加を行う。
【００６８】
角度入力欄５４ｄは、画像データに多く含まれると予想した線分の角度と異なる角度を入力或いは選択入力し、その入力した角度をもった直線或いは直線群を、特定画像情報として付加するための設定欄である。ここでは斜め線を付加することが可能であるが、例えば海外では罫線が入ったものが少ないが日本では罫線や写真が入ったものが多いので、罫線などが度重なるコピーなどによって擦れてきたときに、それをマークと誤認識して複写機がストップしてしまうといったことを未然に防ぐために、特定画像情報として例えば４５°の直線を付加するようにする。実際、罫線や文字のアンダーラインや削除ラインは文書中に頻繁に出てくるが、角度を付けた線は少ない。その点を鑑みて、斜め線のマークとすることで、文章が擦れた場合の誤認識を未然に防ぐとよい。このように、原稿の特徴というのは縦線とか横線とかの線画が含まれることが多く、それに対応するため、それに対してダブらないように斜めの線を付加画像として付加する。このように、本発明では、お互いの特徴が重ならないように付加する条件（角度）を設定する手段を有することが好ましい。
【００６９】
出荷先入力欄５４ｂは、仕向け地（デジタル複合機１の使用地域）を入力（選択入力）するための設定欄であり、ここに入力された仕向け地は、予めベンダが指定した特定画像情報における角度とリンクしており、角度を設定しなくても仕向け地を設定することで、間接的に角度を設定可能とするためのものである。例えば、米国は罫線が少ないので、４５°よりもう少し小さい角度にリンクさせておいてもよい。このように、上述の特徴設定手段は、予め定めた特徴に重ならない特徴を、画像処理装置の使用地域を設定することで、それに応じて設定する手段を有し、仕向け地に応じてお互いの特徴が重ならないように角度を付けて付加するようにしておくことが好ましい。
【００７０】
数入力欄５４ｅでは、複数組みの特定画像情報の組数（上述のＭ＋Ｎ）を入力、或いは選択入力する欄であるが、併せて、画像を無効化するための検出レベルに相当する上述のＭの数も設定できるようにしておいてもよい。その他、数に加え、１つの特定画像情報（マーク）間の距離や位置関係などによっても検出するようにしてもよい。また、例えば、ユーザが写真モードを選択してコピーする場合には、パーセンテージを下げる、パターンが所定数の組あるか、一定の間隔で所定数（３つなど）検出されたとかが、管理者により初期設定可能とするとよい。
【００７１】
位置入力欄５４ｆでは、特定画像情報を付加する位置を選択設定する欄である。位置としては、全体や四隅、両端、外枠などの中から選択設定できるようにするとよい。全体（全面）に付加するのは、印刷された紙が一部切り取られてコピーされた場合であっても、マーク検出及びそれに基づくコピー防止に対応できるようにするためである。
【００７２】
色入力欄５４ｇでは、複数の色から特定画像情報をどの色で付加するかユーザが選択可能となっている。図１１に示す表示画面５０では、色設定の項目として、コピー用色入力欄５４ｉ、ファックス用色入力欄５４ｊ、プリンタ用色入力欄５４ｋ、及び前項（図１０の表示画面５０）に戻るためのもどるボタンを設けている。このように、色の設定は、コピー、ファックス、及びプリンタといった入力モードに応じて設定することも可能である。
【００７３】
その他、図示していないが、職種の設定欄を設けておき、職種によっても付加する角度を変更してもよい。例えば、デザイナが利用するような複写機においては、斜め線が多いと考えられ、場合によっては真っ直ぐの線とするか、或いは複数の角度の線を組み合わせて１組のマークを形成するなどすればよい。
【００７４】
図１０の表示画面５０の次頁ボタン５４ｈをユーザが押下すると図１１の表示画面５０のドキュメントコントロール画面５４ｈへ移行する。ドキュメントコントロール画面５４ｈでは、コピー、ファックス、プリンタのそれぞれに対し、色の設定が可能となっている。なお、図１０で例示した表示画面５０については、コピーやファックス等の他の機能に対しても同様の表示画面で設定可能としておくとよいが、基本的に同様でありその説明を省略する。
【００７５】
図１２は、図１の画像処理装置における特定画像情報付加処理の一例を説明するためのフロー図で、本発明に係る画像処理方法の一例を説明するためのフロー図である。図５乃至図１１で例示したようなユーザ操作がなされた結果の特定画像情報付加処理の一例を、図１２を参照して説明する。なお、ここでは入力源（実際には入力源と記録先とが結びつき一機能となっている）に応じてのみ特定画像情報の付加方法を異ならせる例のみを示して、他の例を省略するが、あらゆる入力源及び／記録先について同様に説明できる。
【００７６】
まず、画像入力手段が画像データを入力する（ステップＳ１）。特定画像情報付加手段２０ｂは、画像データの入力源を判別し（ステップＳ２）、プリンタである場合には重要度を「中」に設定し（ステップＳ３）、コピーである場合には重要度を「大」に設定し（ステップＳ４）、ＦＡＸである場合には重要度を「小」と設定する（ステップＳ５）。重要度が「小」に設定された場合、特定画像情報の付加処理は実行せずに、印刷を実行する（ステップＳ９）。
【００７７】
重要度が「中」及び「大」に設定された場合、特定画像情報付加手段２０ｂは、その重要度により特定パターンを選択し（ステップＳ６）、その特定パターンの数を決定する（ステップＳ７）。ステップＳ６，Ｓ７の後、特定画像情報付加手段２０ｂがステップＳ６，Ｓ７で決定された特定パターンを付加し（ステップＳ８）、印刷を実行する（ステップＳ９）。なお、ステップＳ３〜Ｓ５における重要度の設定を経なくとも、ステップＳ６で直接、ステップＳ２で判別した入力源に対する特定パターンの付加／非付加及び種類等を決定して処理を遂行してもよい。
【００７８】
ここで、図１で説明した機器制御部１４について補足的に説明する。図１の制御部１４は、実際には、ＣＰＵ，ＭＰＵ等の中央演算処理装置と、特定画像情報付加プログラムを含むファームウェアが格納されたＲＯＭ（但し書き換え可能なＲＯＭであることが好ましい）と、ファームウェアを中央演算処理装置が読み出して実行する実行領域としてのＲＡＭなどにより構成される。このように、本発明は特定画像情報付加プログラムとしての形態も採用できる。このプログラムとしては、少なくとも本実施形態に係る特定画像情報付加を中央演算処理装置に実行させるためのプログラムであればよい。つまり、このプログラムは、デジタル複合機１等の画像形成装置やその他の画像処理装置に組み込み、その装置における中央演算処理装置を、上述した特定画像情報付加手段２０ｂや、その他、上述する、特定画像情報設定手段２０ｃ、特定画像情報検出手段２０ａ、画像変更手段、画像読取手段の一部、画像無効化手段等の各手段として、機能させるためのプログラムである。
【００７９】
このような本発明に係るプログラムは、必要に応じてデータと共に、コンピュータ読み取り可能な記録媒体に格納されて配布されるか、ネットワーク経由で配信される。このような記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定できる。そして、上述のごときプログラムを記録媒体に記録して流通させることにより、本発明に係る機能の実現を容易にする。このプログラムは、例えば、コンピュータ等の情報処理装置に、上述のごとくの記録媒体を装着して情報処理装置によりプログラムを読み出して画像処理装置の制御部に転送するなどして、プログラムを画像処理装置において実行可能に格納することができる。そして、必要に応じて読み出すことにより、本発明に係わる機能を実行することができる。
【００８０】
次に、機器制御部１４の例として、それを備えた、図１３に示す一般的な情報処理装置の構成例を説明する。情報処理装置６０は、各種情報を入力するためのキーボード，マウス，記録媒体読取装置，他の機器からの入力用のネットワーク機器などの入力装置６４、各種情報を表示するためのＣＲＴ（Ｃａｔｈｏｄｅ−ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ）などのディスプレイである表示装置６５（入力装置６４と併せてタッチパネルを構成してもよい）、ネットワーク接続装置（ネットワークに接続して通信を行うためのネットワークボード等の通信機器）などの通信装置や印刷装置，記録媒体用記録装置などの外部出力装置等の出力装置６６、さらには、本発明に係るプログラムを記録したハードディスクやＲＯＭ６３、そこに格納されたプログラムを実行するためのＣＰＵ６１、及びその実行領域としてのＲＡＭ６２をその主要な構成要素とし、それらがバス６７により接続されているものとして例示している。このプログラムは、ユーザが各種設定時などに使用する際に容易となるように、表示装置６５用のＧＵＩを備えるようにするとよい。そして、これら装置で取り扱われる情報は、その処理時に一時的にＲＡＭ６２に蓄積され、その後、各種ＲＯＭ６３やハードディスクに格納され、必要に応じて、ＣＰＵ６１によって読み出し、修正・書き込みが行われる。
【図面の簡単な説明】
【００８１】
【図１】本発明の画像処理装置が適用されるデジタル複合機の構成例を説明するためのブロック図である。
【図２】図１の画像処理装置における本発明に主として係わる構成のみを示すブロック図である。
【図３】図２の画像処理装置における判定部の構成例を示すブロック図である。
【図４】図１の画像処理装置において付加される特定画像情報の一例を示す図である。
【図５】図１の画像処理装置における操作部の一例を示す図である。
【図６】図１の画像処理装置における表示部で表示される表示画面例を示す図である。
【図７】図１の画像処理装置における表示部で表示される表示画面例を示す図である。
【図８】図１の画像処理装置における表示部で表示される表示画面例を示す図である。
【図９】図１の画像処理装置における表示部で表示される表示画面例を示す図である。
【図１０】図１の画像処理装置における表示部で表示される表示画面例を示す図である。
【図１１】図１の画像処理装置における表示部で表示される表示画面例を示す図である。
【図１２】図１の画像処理装置における特定画像情報付加処理の一例を説明するためのフロー図である。
【図１３】一般的な情報処理装置の一構成例を示す図である。
【符号の説明】
【００８２】
１…デジタル複合機、２…インターネットファクシミリ装置、３…外部ＰＣ、４…ファクシミリ装置、５…ＰＣ、１０…画像入力部、１１…画像読取部、１１ａ…ＣＣＤ、１１ｂ…原稿検知センサ、１２…操作部、１２ａ…入力部、１２ｂ…表示部、１３…画像形成部、１３ａ…メモリ、１３ｂ…印字部、１３ｃ，１３ｄ…トレイ、１４…機器制御部、１４ａ…制御部、１４ｂ…判定部、１５…通信部、１６…ハードディスク、１７…管理部、１７ａ…特定画像情報管理部、１７ｂ…付加条件管理部、１８…ＦＡＸモデム、１９…消去手段、２０…画像処理部、２０ａ…特定画像情報検出手段、２０ｂ…特定画像情報付加手段、２０ｃ…特定画像情報設定手段、２１…入力部、２２…管理部、２３…検出部、２４…判定条件設定部、２５…判定結果通知部。
【図１】
2007181095.tif 000003
【図２】
2007181095.tif 000004
【図３】
2007181095.tif 000005
【図４】
2007181095.tif 000006
【図５】
2007181095.tif 000007
【図６】
2007181095.tif 000008
【図７】
2007181095.tif 000009
【図８】
2007181095.tif 000010
【図９】
2007181095.tif 000011
【図１０】
2007181095.tif 000012
【図１１】
2007181095.tif 000013
【図１２】
2007181095.tif 000014
【図１３】
2007181095.tif 000015